(57)【要約】【課題】ハンドセット内の電池を電源として受話音声信号を磁気コイルにより外部へ送出するときの消費電力を節減する。【解決手段】  受話音声信号は、通話制御部１３から通話路スイッチ２６を通り、アンプ２５により増幅され、磁気コイル２４から補聴器３へ送出される。受話電流検知部２９で検知された受話電流が規定値以下（無音）の状態が一定時間続いたときは、スイッチ２８をオフにして、電池２７からアンプ２５に対する電力の供給を停止し、その後、受話電流が規定値を越える状態が一定時間続いたときは、スイッチ２８をオンにして、電池２７からアンプ２５に対する電力供給の停止を解除する。【選択図】  図１
2007235331.tif 000002
【特許請求の範囲】
【請求項１】
受話音声信号をハンドセットの受話部に供給する第１の手段と、
前記ハンドセットに設けられ、前記受話音声信号を磁気コイルにより外部へ送出する第２の手段と、
前記ハンドセットに設けられ、前記第２の手段に動作用電力を供給する電源と、
前記受話音声信号のレベルを監視する受話音声レベル監視手段と、
前記受話音声信号のレベルが規定値以下の状態が所定時間継続したときに、前記第２の手段に対する電力供給を停止する制御手段と
を備えたことを特徴とする電話装置。
【請求項２】
請求項１記載の電話装置において、
前記第２の手段と動作と前記第１の手段の動作とを択一的に行うか又は同時に行うかを設定するための設定情報の記憶手段を備えたことを特徴とする電話装置。
【請求項３】
請求項１記載の電話装置において、
前記第２の手段に対する電力供給が停止されている状態で、前記受話音声信号のレベルが規定値を越える状態が所定時間継続したときに、前記第２の手段に対する電力供給の停止を解除する手段を備えたことを特徴とする電話装置。
【発明の詳細な説明】
【技術分野】
【０００１】
本発明は、電話装置に関し、詳細には、補聴器のユーザの使用に好適であり、かつハンドセットの消費電力の低減が可能な電話装置に関する。
【背景技術】
【０００２】
補聴器には大別して下記ａ〜ｃに示す３つのタイプがある。
ａ．補聴器の本体を耳の後側に引っ掛け、本体に取り付けられたイヤホンを耳の中に入れるタイプ（引っ掛け型）
ｂ．胸ポケットにカード型の本体を入れ、本体にケーブルで接続されたイヤホンを耳の中に入れるタイプ（カード型）
ｃ．補聴器本体を小型化し、補聴器自体を耳の中に入れるタイプ（内挿型）
【０００３】
このような補聴器のユーザが電話機を使用するときには、以下のような問題がある。
引っ掛け型の場合、補聴器のマイクロホン（以下、マイクと言う）は、補聴器の装着時に耳の上部に位置する。そのため、受話器を耳に密着させると、受話音の漏れが少なくなり、補聴器のマイクに受話音が入らなくなる。このため、受話器を耳から少し離して故意に音漏れを起こす、電話機の受話音量を最大にする等、電話機の使用時に不便な思いをしている。
カード型の場合、補聴器のマイクは胸ポケット内の本体に設けられているため、補聴器のイヤホンを外し（補聴器を使用しない）、電話機の受話音量を最大にして使用する。
内挿型の場合、受話器に耳を密着させるとハウリングを起こすことがため、受話器を耳から少し離して使用し、電話機の受話音量を大きくする必要がある。
つまり、何れのタイプの補聴器も、受話音量を大きくすることで、通話の内容を周囲の人に聞かれたり、周囲の人に騒音で迷惑をかけたりするという問題がある。
【０００４】
一方、このような問題を解決できる電話機として、ハンドセット内に受話器と並列に受話信号の増幅器を接続すると共に、その増幅器により駆動される受話信号磁界発生用磁気コイルを受話器の外周に巻装することにより受話音声信号（受話信号）を補聴器の誘導コイルにて受信可能にした電話機がある（特許文献１参照）。
【特許文献１】特開昭５８−３１６４７号公報
【発明の開示】
【発明が解決しようとする課題】
【０００５】
しかしながら、特許文献１に記載の電話機では、増幅器及び磁気コイルにより消費される電力が大きいという問題がある。このため、ハンドセットに電池を内蔵させ、その電池を電源として増幅器及び磁気コイルを動作させるように構成した場合、電池の消耗が早くなり、長時間の通話が出来ないという問題がある。
【０００６】
本発明は、このような問題を解決するためになされたものであり、その目的は、ハンドセット内の電池を電源として受話音声信号を磁気コイルにより外部へ送出して受話を行うときの消費電力を節減することである。
【課題を解決するための手段】
【０００７】
請求項１の発明は、受話音声信号をハンドセットの受話部に供給する第１の手段と、前記ハンドセットに設けられ、前記受話音声信号を磁気コイルにより外部へ送出する第２の手段と、前記ハンドセットに設けられ、前記第２の手段に動作用電力を供給する電源と、前記受話音声信号のレベルを監視する受話音声レベル監視手段と、前記受話音声信号のレベルが規定値以下の状態が所定時間継続したときに、前記第２の手段に対する電力供給を停止させる制御手段とを備えたことを特徴とする電話装置である。
請求項２の発明は、請求項１記載の電話装置において、前記第２の手段と動作と前記第１の手段の動作とを択一的に行うか又は同時に行うかを設定するための設定情報の記憶手段を備えたことを特徴とする。
請求項３の発明は、請求項１記載の電話装置において、前記第２の手段に対する電力供給が停止されている状態で、前記受話音声信号のレベルが規定値を越える状態が所定時間継続したときに、前記第２の手段に対する電力供給の停止を解除する手段を備えたことを特徴とする。
【０００８】
（作用）
請求項１の発明によれば、第１の手段により受話音声信号をハンドセットの受話部に供給し、第２の手段により受話音声信号をハンドセットの磁気コイルにより外部へ送出し、受話音声信号のレベルが規定値以下の状態が所定時間継続したときに、ハンドセット内の電源から第２の手段に対する電力供給を停止する。
請求項２の発明によれば、受話音声信号をハンドセットの受話部に供給することと、磁気コイルから外部へ送出することとを択一的に行うか、又は同時に行うかを設定することができる。
請求項３の発明によれば、ハンドセット内の電源から第２の手段に対する電力供給が停止されている状態で受話音声信号のレベルが規定値を越える状態が所定時間継続したときに、その電力供給の停止を解除する。
【発明の効果】
【０００９】
本発明によれば、受話音声信号のレベルが規定値以下（通話中の無音）の状態が所定時間継続したときは、受話音声信号をハンドセットの磁気コイルにより外部へ送出する手段に対し、ハンドセット内の電源から電力を供給しないので、磁気コイルを用いた受話時の消費電力を節減できる。
【発明を実施するための最良の形態】
【００１０】
以下、本発明の実施形態について図面を参照して説明する。
図１は本発明の実施形態の電話装置の構成を示す図である。
この電話装置は、電話装置本体（以下、本体と言う）１及びハンドセット２からなる。本体１は、この電話装置全体の制御等を行う制御部（ＣＰＵ）１１と、電話回線４に接続されており、電話回線の閉結、開放等を行う外線インタフェース部１２と、外線インタフェース部１２とハンドセット２との間の接続制御等を行う通話制御部１３と、制御部１１が各種動作を行うときに使用するプログラムが記憶されたＲＯＭ、制御部１１が各種動作を行うときのワークエリアとなるＲＡＭ、各種データを記憶するためのＥＥＰＲＯＭ等からなる記憶部１４と、数字キー、機能キー等からなるキー入力部１５とを備えている。
【００１１】
ハンドセット２は、このハンドセット２全体の制御等を行う制御部（ＣＰＵ）２１と、音声を音声信号に変換するマイク及びその音声信号を増幅するアンプからなるマイク部２２と、受話音声信号を増幅するアンプ及びその出力を音声に変換するスピーカからなるスピーカ部（受話部）２３と、受話音声信号に対応する磁界を外部へ放出する磁気コイル２４と、受話音声信号を増幅して磁気コイル２４に供給するアンプ２５と、制御部２１の制御に従って、通話制御部１３とマイク部２２、スピーカ部２３、及びアンプ２５との間の音声信号伝送路（送話パス、受話パス）を断続するための通話路スイッチ２６と、ハンドセット２内の所要の部分に動作用電力を供給するための電源である電池２７と、制御部２１の制御に従って開閉（オン／オフ）され、電池２７からアンプ２５に対する動作用電力の供給をオン／オフするスイッチ２８と、受話音声信号のレベルを検知する受話電流検知部２９と、受話音声信号を磁気コイル２４から外部へ送出するか否かの設定情報、及び受話音声信号を磁気コイル２４から外部へ送出するとき、同時にハンドセット２のスピーカ部２３に供給するか否かの設定情報が記憶される設定情報記憶部３０とを備えている。ここで、電池２７は一次電池でも二次電池でもよい。二次電池の場合は、ハンドセット２を本体１の所定の部位に載せたときに、本体１から充電されるように構成する。また、制御部（ＣＰＵ）２１と本体１の制御部（ＣＰＵ）１１とは信号線により接続され、データ通信が可能である。
【００１２】
補聴器３は、ハンドセット２の磁気コイル２４から送出される受話音声信号に対応する磁界から電磁誘導により受話音声信号を再生する磁気コイルと、その受話音声信号を音声に変換して出力するイヤホンとを備えている。
【００１３】
以上の構成を有する電話装置の動作について説明する。
図２は着信時又は発信時にオフフックされたときの制御部２１の処理を示すフローチャートである。ユーザがハンドセット２を取り上げると、図示されていないフックスイッチが閉じることで制御部２１によりオフフックが検出され、図２に示す処理がスタートする。
【００１４】
制御部２１は、オフフックを検出すると、設定情報記憶部３０の記憶内容を参照して、磁気コイル２４をオンにする設定がなされているか否かを判定する（ステップＳ１）。ユーザは、磁気コイル２４をオンにして、通話制御部１３からの受話音声信号を補聴器３へ送信したいときは、予めキー入力部１０を用いて設定操作を行っておく。この設定情報は、制御部１１により検出されて制御部２１に通知され、制御部２１により設定情報記憶部３０に記憶されるので、その記憶内容を参照することで、上記設定の有無を判定できる。磁気コイル２４をオンにする設定がなされていない場合は（ステップＳ１でNO）、通話路スイッチ２６を制御して、通話制御部１３とマイク部２２との間を送話パスで接続すると共に、通話制御部１３とスピーカ部２２との間を受話パスで接続する（ステップＳ２）。この場合、通常の通話処理が行われ、磁気コイル２４から補聴器３へ受話音声信号は供給されない。
【００１５】
磁気コイル２４をオンにする設定がなされていた場合は（ステップＳ１でYES）、スピーカ部２３をオンにする設定がなされているか否かを判定する（ステップＳ３）。ユーザは、磁気コイル２４をオンにして、通話制御部１３からの受話音声信号を補聴器３へ送信するとき、同時にスピーカ部２３からも受話音声を出力するか否かを予めキー入力部１０を用いて設定し、設定情報記憶部３０に記憶しておく。
【００１６】
スピーカ部２３をオンにする設定がなされていた場合は（ステップＳ３でYES）、スイッチ２８を閉じて、電池２７からアンプ２５に動作用電力を供給すると共に、通話路スイッチ２６を制御して、通話制御部１３とマイク部２２との間を送話パスで接続すると共に、通話制御部１３とスピーカ部２２及びアンプ２５との間を受話パスで接続する（ステップＳ４）。この場合、受話音声信号は、磁気コイル２４から補聴器３へ送信されると共に、スピーカ部２３にも供給される。従って、補聴器３のユーザはイヤホンから出力される受話音声を聞くことができ、周囲の人もスピーカ部２２から受話音声を聞くことができる。補聴器３のユーザが発声した音声はマイク部２２で音声信号とされ、電話回線４を介して接続相手先へ送出される。
【００１７】
スピーカ部２３をオンにする設定がなされていなかった場合は（ステップＳ３でNO）、スイッチ２８を閉じて、電池２７からアンプ２５に動作用電力を供給すると共に、通話路スイッチ２６を制御して、通話制御部１３とマイク部２２との間を送話パスで接続すると共に、通話制御部１３とアンプ２５との間を受話パスで接続する（ステップＳ５）。この場合、受話音声信号は、磁気コイル２４から補聴器３へ送信されるが、スピーカ部２３には供給されない。従って、補聴器３のユーザはイヤホンから出力される受話音声を聞くことができるが、周囲の人には受話音声は聞こえない。補聴器３のユーザが発声した音声はマイク部２２で音声信号とされ、電話回線４を介して接続相手先へ送出される。
【００１８】
ステップＳ４又はＳ５の実行により磁気コイル２４を用いた通話状態へ移行したら、通話電流検知部２９の出力である受話音声信号のレベルを監視する（ステップＳ６）。そのレベルが規定値以下（無音状態）である場合は（ステップＳ７でYES）、その規定値以下の状態が一定時間（ここでは１００ｍｓ）続いているか否かを判断する（ステップＳ８）。そして、１００ｍｓ続いているときは（ステップＳ８でYES）、スピーカ部２３をオンにする設定がなされているか否かを判定する（ステップＳ９）。
【００１９】
スピーカ部２３をオンにする設定がなされていた場合は（ステップＳ９でYES）、通話路スイッチ２６を制御して、磁気コイル２４と通話制御部１３との間の受話パスを切断すると共に、スイッチ２８を開いて、アンプ２５に対する電池２７からの電力供給を停止させる（ステップＳ１０）。この結果、アンプ２５に動作用電力が供給されなくなる。このとき、受話パスはスピーカ部２３と通話制御部１３との間のみとなる。
【００２０】
スピーカ部２３をオンにする設定がなされていなかった場合は（ステップＳ９でNO）、通話路スイッチ２６を制御して、通話制御部１３とアンプ２５との間の受話パスを切断すると共に、通話制御部１３とスピーカ部２３との間の受話パスを接続し、かつスイッチ２８を開いて、アンプ２５に対する電池２７からの電力供給を停止させる（ステップＳ１１）。この結果、アンプ２５に動作用電力が供給されなくなる。このときも、受話パスはスピーカ部２３と通話制御部１３との間のみとなる。
【００２１】
受話音声信号のレベルが規定値を超えていた場合は（ステップＳ７でNO）、磁気コイル２４の電源がオフか否か、換言すればスイッチ２８が開いており、アンプ２５に電力が供給されていない状態か否かを判定する（ステップＳ１２）。磁気コイル２４の電源がオフの場合は（ステップＳ１２でYES）、受話音声信号のレベルが規定値を越えている状態が一定時間（ここでは１０ｍｓ）続いているか否かを判断する（ステップＳ１３）。そして、１０ｍｓ続いているときは（ステップＳ１３でYES）、スピーカ部２３をオンにする設定がなされているか否かを判定する（ステップＳ１４）。
【００２２】
スピーカ部２３をオンにする設定がなされていた場合は（ステップＳ１４でYES）、スイッチ２８を閉じて、アンプ２５に対する電池２７からの電力供給を行うと共に、通話路スイッチ２６を制御して、アンプ２５と通話制御部１３との間の受話パスを接続する（ステップＳ１５）。この結果、ステップＳ４にて設定された動作状態に戻り、受話音声信号は、磁気コイル２４から補聴器３へ送信されると共に、スピーカ部２３にも供給される。
【００２３】
スピーカ部２３をオンにする設定がなされていなかった場合は（ステップＳ１４でNO）、スイッチ２８を閉じて、アンプ２５に対する電池２７からの電力供給を行うと共に、通話路スイッチ２６を制御して、通話制御部１３とアンプ２５との間の受話パスを接続すると共に、通話制御部１３とスピーカ部２３との間の受話パスを切断する（ステップＳ１６）。この結果、ステップＳ５にて設定された動作状態に戻り、受話音声信号は、磁気コイル２４から補聴器３のみに送信される。
【００２４】
このように、本実施形態の電話装置によれば、受話音声信号を磁気コイル２４から補聴器３へ送出するように動作させて通話を行っているとき、受話音声信号のレベルが規定値以下（無音）の状態が一定時間続いたときにはアンプ２５に対する電力供給を停止させ、その停止状態にて受話音声信号のレベルが規定値を超える状態が一定時間続いたときにはアンプ２５に対する電力供給の停止を解除するので、アンプ２５における無駄な消費電力をなくし、電池２７が消耗するまでの時間を延長することができる。
【００２５】
なお、以上の実施形態では、本体１と、ハンドセット２との間が有線（コード）により接続されているが、無線（コードレス）接続にしてもよい。また、本体の制御部１１が通話路スイッチ２６、スイッチ２８の少なくとも一方を制御するように構成してもよい。
【図面の簡単な説明】
【００２６】
【図１】本発明の実施形態の電話装置の構成を示す図である。
【図２】本発明の実施形態の電話装置がオフフックされたときの処理を示すフローチャートである。
【符号の説明】
【００２７】
２・・・ハンドセット、３・・・補聴器、１１，２１・・・制御部、１３・・・通話制御部、２３・・・スピーカ部、２４・・・磁気コイル、２６・・・通話路スイッチ、２７・・・電池、２８・・・スイッチ、２９・・・受話電流検知部、３０・・・設定情報記憶部。
【図１】
2007235331.tif 000003
【図２】
2007235331.tif 000004